Podtech/llm-jp-corpus-v4-ja_patent huggingface dataset:
(57)【要約】【課題】吊戸棚下側と空間を利用し邪魔に成らず、安全、かつ衛生的にマナ板を収納出来る吊置台を提供。【解決手段】吊戸棚の下側にＺ形の板２枚をＺ面を前面にしマナ板が横に設置出来る空間を決め、取付けが楽に出来る様に先ず両面テープで仮止めし、ネジで確実に定置する。【特許請求の範囲】
【請求項１】
吊戸棚を介して、吊戸棚の下にＺ形の板状の金属叉はプラスチツク材等の材質の物質を使用し、吊戸棚と流し台の空間を利用し、邪魔に成らずに横向きに収納できる、マナ板収納置き台である。。
【請求項２】
ドライバ−を使はず、ネジを任意の所に使用出来るネジである。頭の部分を大きく指が滑らぬ様に三叉にし先端部分をキリ状に致して力を入れずに廻す事が出来るネジである。
【請求項３】
マナ板を流し台叉は調理台の上置かずにすむ用に吊戸棚を製造する段階において、マナ板を収納出来る収納置台を設置する
【発明の詳細な説明】
【技術分野】
【０００１】本発明は吊戸棚下を利用し場所を取らず邪魔にならずに良く乾燥し衛生的にマナ板を収納するものである。
。
【背景技術】
【０００２】従来はマナ板の収納は流し台の上に置いておくか、又わマナ板置き台等に立てかけておいた。
【発明の開示】
【発明が解決しようとする課題】
【０００３】今迄わ次のやうな欠点があった。
（イ）マナ板をそのまま直に流し台の上に置くと片面が空気に触れず衛生的にも不衛生であった。
（ロ）流し台に寝かせて置くか、又は置台に立て置くと邪魔に成り，不安定の為倒れたりして危険であった。
本発明は、これらの問題点を解決するためになされたものである。
【課題を解決する為の手段】
【０００４】流し台の上又は近くにある、吊戸棚か収納棚の下側にＺ形の金属かブラスチツク材の板状の機具を左と右にマナ板と同じ幅より多少広めの間隔をとって取り付け、マナ板を収納出来る様にした道具。
【発明の効果】
【０００５】場所を取らなく邪魔に成らず倒れたりせず安全であり高所に設地置してあるため空気の流もよい為に、マナ板の表裏共乾燥が速く衛生的である。
【発明を実施するための最良の形態】
【０００６】以下、本発明の実施の形態について説明する。
（イ）断面がＺ形で細長い板状で、材質は金属又はプラスチツク材で、長さは吊戸棚の奥行き、又はマナ板の奥行きで両端２ケ所にネジ穴を設けてあるＺ形機具である。Ａ面の幅は７センチＢ面は高さ５センチＣ面の幅８センチの形態である、Ｚ形機具（１）と（２）使用
（ロ）両面テ−ブ４枚（３）をＺ形の（１）と（２）の穴４ケ所に設ける。
（ハ）ドライバを使用しないネジ（４）は、頭の部分がブラスチツク材で頭が大きくネジの先端部分は鋭い錐状になっておりこれを４本を用いる。
本発明は以上のやうな構成で、これを使用するには（１）と（２）のＺ形Ａ面の両端のネジ穴の部分に両面テ−プを（１）と（２）に各２ケ取付けて仮に設置する。仮に設置後安全の為ドライパを使わないネジ各２本ずつ４本で確実に設置する。
設置場所は収納棚又は吊り戸棚の任意の場所にＺ形の（１）のＣ面と（２）のＣ面の両面の先端が向き合うやうに其の間にマナ板が収まるやうに間隔をとつて両面テ−プで仮設置、ドライバいらずのネジで確ぢつに定着して（１）のＢ，Ｃと（２）のＢ，Ｃの間にマナ板を横に収納する。
【図面の簡単な説明】
【０００７】
【図３】本発明の使用状態を示す前面図である。
【図２】はドライバ使わずにねじ込むネジで、頭の部分はプラスチック材を大きくし、ネジ先端部分は鋭いキリ状にしてあり、頭部は手で廻しやすくする為に三角状にしてドライバを使わずに楽に作業しやすくしてある。
【符号の説明】
【０００８】（１）Ｚ形金属又はプラスチック材機具
（２）Ｚ形金属又はプラスチック材機具
（３）３は両面テープ
（４）ドライバの不要のネジ
（５）ネジ上面
（６）ネジ下面
（７）ネジ断面
（８）吊戸棚
（９）マナ板
【図１】
2006015101.tif 000002
【図２】
2006015101.tif 000003
【図３】
2006015101.tif 000004
【手続補正書】
【提出日】平成16年9月9日(2004.9.9)
【手続補正１】
【補正対象書類名】明細書
【補正対象項目名】０００７
【補正方法】変更
【補正の内容】
【０００７】
【図１】図（１）も（２）も同じＺ形の形態の機具であり右左にＣ面が向き合う様に取り付ける。図（３）はＺ形機具のＡ面を吊戸棚に取り付けるときに仮止めする為にネジ穴の上面に両面テ−プを設けて取り付けて安定させておきその後ネジ止めする為の両面テ−プである。
【図２】（４）は横向き（５）は上向き（６）は下向きの各状態（７）はネジの断面図で金属のネジの部分を表している、頭の部分を普通のネジの数倍大きくして使いやすく又廻しやすくする為に（５）のやうな形態にしてネジ先を鋭くしドライバ−を使用せずに廻せるネジである。
【図３】本発明の使用状態を示す前面図である（１）Ｚ形機具（８）吊戸棚（９）マタ板。
(57)【要約】【課題】洗濯時の仕事量を軽減するために、分けて洗いたい洗濯物を時間と労力を要することなく節水しながら洗濯ができる、上下２槽式洗濯槽洗濯機を提供する。【解決手段】洗濯機内部の洗濯槽１に仕切り２を付けることで、上層３・下層４それぞれに洗濯物を入れて、移水できるようにする。【選択図】図１
2006015106.tif 000002
【特許請求の範囲】
【請求項１】
洗濯機内部の洗濯槽が、上下２槽になり洗濯物を分けて洗うことが可能であることを特徴とする洗濯槽。
【請求項２】
洗濯進行過程において、排水の際に上層から下層へ移水することを特徴とする請求項１記載の洗濯槽。
【発明の詳細な説明】
【技術分野】
【０００１】この発明は、洗濯時の仕事量を軽減するために、洗濯槽を上下２槽にすることで、汚れた衣類など分けて洗いたい物と、同時にかつ清潔に洗濯し、節水することができるようにしたものである。
【背景技術】
【０００２】従来、汚れた衣類など分けて洗いたい時は、洗濯機を２回使用するか手洗いによって行っていた。
【発明の開示】
【発明が解決しようとする課題】
【０００３】衣類を分けて洗うということは、洗濯する人の時間と労力を要するという難点があった。本発明は、この課題を解消するためになされたものである。
【課題を解決するための手段】
【０００４】洗濯機内部の洗濯槽を上下に分ける仕切りがあることで、衣類を分けて洗うことができるようにした。
【発明の効果】
【０００５】洗濯機内部の洗濯槽を上下に分けることが可能なことで、今まで汚れた衣類など分けて使っていた時間と労力が不要であり、節水できる。
【実施例１】
【０００６】（イ）  洗濯槽本体１に仕切り２が付いており、分けて洗いたい洗濯物は仕切り２を小さくして下層４へ入れる。
（ロ）  仕切り２を大きくして上層３へその他の洗濯物を入れる。
（ハ）  使用時は上層３から下層４へ移水する。
【図面の簡単な説明】
【０００７】
【図１】本発明の立面図である。
【図２】本発明の正面図である。
【符号の説明】
【０００８】１  洗濯槽本体
２  仕切り
３  上層
４  下層
【図１】
2006015106.tif 000003
【図２】
2006015106.tif 000004
(57)【要約】【課題】渦巻型線香が最後まで燃え尽きることのできる、渦巻型線香保持台を提供する。【解決手段】支持基台２と、支持基台２に立設された先端上部に不燃性の断熱材５を設置した支柱３と、支柱の先端上部に立設された逆Ｕ字状の金属線４とから構成されたことを特徴とする渦巻型線香保持台。【選択図】図１
2006015109.tif 000002
【特許請求の範囲】
【請求項１】
支持基台と、支持基台に立設された先端上部に不燃性の断熱材を設置した支柱と、支柱の先端上部に立設された逆Ｕ字状の金属線とから構成されたことを特徴とする渦巻型線香保持台。
【請求項２】
前記支持基台が、渦巻線香の灰を収容する受皿であることを特徴とする請求項１記載の渦巻型線香保持台。
【発明の詳細な説明】
【技術分野】
【０００１】  本発明は、渦巻型線香を保持する台に関する。
【背景技術】
【０００２】  従来、中央に通孔がなく、吊り糸もない渦巻型線香の燃焼台は、香炉や香皿の中央に直径約１．５センチ、高さ約２センチ前後の突起台があり、その突起台の上に渦巻線香を平たく置いて燃焼して使用するのが一般的である。【０００３】  なお、灰の上に渦巻型線香を直接置いて燃焼するやり方もある。【０００４】  また、支持基台に立設した支柱に設けた支持部材によって渦巻線香の中央部を下方から支えると共に、支柱または支持部材に設けた傾斜ガイドによって渦巻線香の垂れ下がり部を支えるようにした渦巻線香保持台が提供されている（特許文献１参照）。【０００５】
【特許文献１】特開２００４−１６００４０号公報
【発明の開示】
【発明が解決しようとする課題】
【０００６】  以上に述べた従来の渦巻型線香の燃焼台は、渦巻型線香の中心の最後まで完全燃焼することが困難である。【０００７】  また従来の渦巻型線香の燃焼台は、直径約１．５センチ、高さ約２センチの突起台で、その燃焼台に置くだけの渦巻型線香は、少しの振動や風に落下してしまう難点がある。【０００８】  従来の渦巻型線香の燃焼台は、渦巻型線香の点火には両手を使い、直径約１．５センチの燃焼台へ置く時には慎重さが求められる。まず渦巻型線香を左手で持ち、右手のライターで点火し、点火した渦巻型線香を左手から右手に持ちかえ、直径約１．５センチの燃焼台に渦巻型線香の中央が載るように置く。作業の途中でヤケドしたり、渦巻型線香を折ってしまうこともあった。【０００９】  また灰の上に渦巻型線香を直接置いて燃焼するやり方は完全燃焼するが、これも設置と点火に両手を使い、慎重さが求められる。それに灰が指先に付着する。【００１０】  特許文献１では、渦巻線香を簡単にセットでき、しかも、渦巻線香の燃焼が進んで短くなっても、渦巻線香が落下することもなく安定的に保持することができる渦巻線香保持台が提案されているが、この方式であっても渦巻線香を完全燃焼させるのは困難である。【００１１】  本発明は、従来の渦巻型線香の燃焼台が有していた問題を解決しようとするものであり、渦巻型線香のセットと点火が簡単に片手でもでき、振動や風など外力にも安定的に保持でき、渦巻型線香の中心の最後まで完全燃焼する渦巻型線香保持台を提供することにある。
【課題を解決するための手段】
【００１２】  請求項１記載の発明は、上記目的を達成するためになされたものであり、支持基台と、支持基台に立設された先端上部に不燃性の断熱材を設置した支柱と、支柱の先端上部に立設された逆Ｕ字状の細い金属線とから構成されたことを特徴としている。【００１３】  また請求項２記載の発明は、前記支持基台が、渦巻型線香の灰を収容する受皿となっていることを特徴としている。【００１４】  上記第１の課題解決手段による作用は次の通りである。すなわち、支持基台に立設された支柱の先端上部に設置した不燃性の断熱材の存在により、燃焼部の熱が支柱により奪われることがないため、渦巻型線香の中心部の燃焼が絶たれることがなく完全燃焼する。また支柱の先端上部に立設された逆Ｕ字状に形成した金属線は、渦巻線香の中心部を両脇から支えるため、渦巻線香のセットと点火が簡単に片手でもでき、傾きや振動、風など外力にも安定的に保持できる。かつ金属線であるから、燃焼部の熱が奪われるが、非常に細い金属線を使用しているので、奪われる熱が少なく、金属線に接触した渦巻型線香の中心部の燃焼が絶たれることがなく完全燃焼する。【００１５】  上記第２の課題解決手段による作用は次の通りである。すなわち、支持基台の周縁が１センチほど立ち上がって形成されているため、灰がこぼれず灰を収容する受皿となっている。【００１６】  本発明でいう不燃性の断熱材をしては、例えば雲母、シート状アスベスト、ガラスファイバークロス、セラミックファイバークロス、シート状ロックウール等が挙げられ、これらを単独または複層にして用いることができる。支持基台と支柱の素材としては、陶器、磁器、金属、ガラス、石等を用いることができる。金属線の素材は弾力のあるピアノ線が適していて、ピアノ線の太さは０．０８ミリ〜０．２ミリが好ましく、なかでも０．１ミリ前後が良い。
【発明の効果】
【００１７】  上述したように本発明の渦巻型線香保持台は、支柱の先端上部に設置した不燃性の断熱材の存在により、渦巻型線香の中心の燃焼部の熱が支柱により奪われることもないため、最後まで燃焼が絶たれるることがなく完全燃焼する。【００１８】  また支柱の先端上部に設置された逆Ｕ字状に形成された金属線が渦巻線香の中心部を両脇から支えるため、渦巻型線香を簡単にセットができ、振動や風や移動にも渦巻線香を安定的に保持できる。また渦巻型線香が固定されるため片手だけで点火できる。かつ金属線であるから、接触した渦巻型線香の中心の燃焼部の熱が奪われるが、０．１ミリの細いピアノ線を使用しているので、奪われる熱が非常に少なく、渦巻型線香の中心部の燃焼が絶たれることがなく完全燃焼する。【００１９】  さらに請求項２記載の発明によれば、支持基台の周縁が１センチほど立ち上がって形成されているため、灰がこぼれず灰を収容する受皿となっている。
【発明を実施するための最良の形態】
【実施例】
【００２０】  以下、本発明の実施の形態の例を図１、図２に基づいて説明する。【００２１】  支持基台２は、図１に示すように、一辺８センチの正方形の皿状で、底部は厚さ５ミリ、周縁は１センチの立ち上がり部を有する陶器で形成した。そして受皿たる支持基台２の中央部には、たて、よこ共に１センチで高さ２．５センチの陶器製角柱の支柱３を立設し、支柱３の先端上部には、直径１．６センチで厚さ１ミリの雲母を付着したガラスファイバークロスの不燃性断熱材５を設置した。そして支柱３の先端上部には、高さ２．５センチの逆Ｕ字状に形成された０．１ミリのピアノ線４を立設した。【００２２】  この構成の渦巻型保持台に、図２に示すように、渦巻型線香１を上からはめこんで点火したところ、最後まで燃え尽きることができた。
【図面の簡単な説明】
【００２３】
【図１】  本発明の実施の一例を示す説明図
【図２】  本発明を実際に使用している状況を示す説明図
【符号の説明】
【００２４】  １  渦巻型線香
２  支持基台
３  支柱
４  金属線
５  不燃性断熱材
【図１】
2006015109.tif 000003
【図２】
2006015109.tif 000004
(57)【要約】【課題】  生体電流を整えることで文字を書き続けても手が疲れない機能を持たせたチタングリップ付き筆記具を提供する。【解決手段】  チタン（１）とグリップ（２）を筆記具（３）に設けたことを特徴とする。【選択図】    図１
2006015715.tif 000002
【特許請求の範囲】
【請求項１】
チタン（１）とグリップ（２）を筆記具（３）に設けたチタングリップ付き筆記具。
【発明の詳細な説明】
【発明の詳細な説明】
【技術分野】
【０００１】  この発明は、生体電流を整えることで文字を書き続けても手が疲れない機能を持たせたチタングリップ付き筆記具に関する物である。
【背景技術】
【０００２】  従来、書類などに文章や文字を書いた際の疲労や痛みなどは、単に休憩や体操で疲れをとっていた。
【発明が解決しようとする課題】
【０００３】  そのために、次のような欠点があった。
（イ）  長時間使っていると手や肩の疲れがあり苦痛だった。
（ロ）  毎日使っていると疲れがとれずに、肩こりや頭痛にも悩まされた。
本発明は、これらの欠点を解決するためになされたものである。
【課題を解決するための手段】
【０００４】  チタン（１）をグリップ（２）に設ける。そしてチタン（１）付きグリップ（２）を筆記具（３）に設ける。
本発明は、以上の構成からなるチタングリップ付き筆記具。
【発明を実施するための最良の形態】
【０００５】  以下、本発明の実施の形態について説明する。
（イ）  グリップ（２）の表面から突設した状態でチタン（１）を設ける。
（ロ）  チタン（１）付きグリップ（２）を筆記具（３）に設ける。
（ハ）  筆記具（３）を持つときにチタン（１）付きグリップ（２）が手に触れるように設ける。
本発明は以上のような構造でこれを使用するときは、筆記具（３）を持つときに、グリップ（２）を握ると突設したチタン（１）が手に触れるようになり、その部分からチタン（１）の効果を受ける。
【発明の効果】
【０００６】  イオン化傾向の強いチタンが手に触れることで、生体電流の乱れを整え長時間使用しても手が疲れず楽に文字を書き続けることができる。またパソコンやＯＡ機器から受ける電磁波で乱れた生体電流も整えてくれるので、肩こりや頭痛などの不快な症状を防いでくれる。さらに太陽や蛍光灯の光りを用いて体表面にマイナスイオンを発生させることができ、肩こりや頭痛の原因となるプラスイオンを除去させ、肩こりや頭痛の原因から人体を守る。また、疲労回復の効果も高めてくれるので、疲れを素早く取ることができる。
またチタンはノンアレルギー金属なので金属アレルギーや敏感肌の方も使用できる。またアルミニウムの次に軽く、鉄の２倍の強度なので長時間使用でき変型することもない。また熱伝導率がステンレス並みに小さいので触れているチタンが熱くなることもない。また耐食性はステンレス鋼より優れ、海水においては完全な耐食性を持つ。つまり汗で錆ることもない。
【図面の簡単な説明】
【０００７】
【図１】本発明の斜視図
【図２】本発明の側面図
【図３】本発明の部分拡大図
【図４】本発明のグリップ（２）拡大図
【符号の説明】
【０００８】（１）チタン
（２）グリップ
（３）筆記具
【図１】
2006015715.tif 000003
【図２】
2006015715.tif 000004
【図３】
2006015715.tif 000005
【図４】
2006015715.tif 000006
(57)【要約】【課題】  従来の自転車用照明装置では、自転車の車輪に接触させた回転部材を回転して、回転部材に連結した永久磁石を回転するため、車輪に負荷がかかるので、自転車が非常に重く、自転車に長時間乗ることは不可能であるという点である。【解決手段】  自転車１の車輪２のフレーム２ａの近傍で、スポーク３の１本おきに、スポーク３を中心として回動する回動部材４ａ、回動部材４ａから伸びた腕部材４ｂ、腕部材４ｂの先端に一体に形成された打当部材４ｃからなる衝撃部材４が装着され、衝撃部材４の打当部材４ｃが当たるフォーク５に圧電セラミックス６が装着され、圧電セラミックス６で発生した起電力は蓄電器７で蓄電され、蓄電器７から自転車１のハンドル８の部分に装着されたライト９に供給される。発振出力が印加され、洗浄槽の上部に洗浄液供給装置７が装着されている。【選択図】図１
2006015784.tif 000002
【特許請求の範囲】
【請求項１】
自転車の車輪を支えるフォークに装着された圧電セラミックスと、前記車輪のスポークに該スポークを中心として回動自在に装着された回動部に腕部材を介して打当部を形成した複数の衝撃部材と、前記圧電セラミックスで発生した起電力を蓄電する蓄電器と、該蓄電器からの電力で点灯されるライトとからなることを特徴とする自転車用照明装置。
【請求項２】
前記衝撃部材はスポークの１本おきに装着することを特徴とする請求項１記載の自転車用照明装置。
【請求項３】
前記衝撃部材はスポークの複数本おきに装着することを特徴とする請求項１記載の自転車用照明装置。
【発明の詳細な説明】
【技術分野】
【０００１】
本発明は、車輪の回転により衝撃部材で圧電セラミックスを打当して起電力を発生する自転車照明装置に関するものである。
【背景技術】
【０００２】
従来の自転車照明装置としては、導線を巻回した巻線の中心に永久磁石を装着し、この永久磁石の回転軸に金属の回転部材を連結した発電機を自転車に装着し、この発電機の回転部材を自転車の車輪に接触させ、自転車を走行することにより、回転部材を回転して永久磁石を回転し、この永久磁石の回転で巻線を横切る磁束により巻線に起電力を発生し、この起電力で自転車のハンドル部分に設けたライトを点灯するようにした自転車用照明装置が提案されている。
【０００３】
しかしながら、このような自転車用照明装置では、自転車の車輪に接触させた回転部材を回転して、回転部材に連結した永久磁石を回転するため、車輪に負荷がかかるので、自転車をこぐ場合、自転車が非常に重く、自転車に長時間乗ることは不可能であり、特に、子供や年寄りは発電機を回転しながら自転車をこぐことは殆ど不可能に近いという問題があった。
【発明の開示】
【発明が解決しようとする課題】
【０００４】
解決しようとする問題点は、従来の自転車用照明装置では、自転車の車輪に接触させた回転部材を回転して、回転部材に連結した永久磁石を回転するため、車輪に負荷がかかるので、自転車が非常に重く、自転車に長時間乗ることは不可能であるという点である。
【課題を解決するための手段】
【０００５】
本発明では、自転車の車輪を支えるフォークに複数個の圧電セラミックスを装着し、この圧電セラミックスに衝撃を与える衝撃部材は、スポークを中心として回動自在に装着された回動部に腕部材を介して打当部を形成したものであり、この圧電セラミックスで発生した起電力を蓄電器で蓄電し、蓄電器からの電力でライトを点灯するものである。
【発明の効果】
【０００６】
本発明の自転車用照明装置では、自転車の車輪のスポークの全て、又は１つ置き、又は２つ置きに衝撃部材を回動可能に装着しているだけであるので、自転車をこぐ場合に、殆ど負荷になることがてないので、年寄りや子供でも自転車をこぐことができ、又、乾電池を必要とせず、商用電源からの充電を必要としない点である。
【実施例】
【０００７】
図１は本発明の実施例の照明装置を装着した自転車の側面図、図２は図１の自転車照明装置の概略構成図で、自転車１の車輪２のフレーム２ａの近傍で、スポーク３の１本おきに、スポーク３を中心として回動する回動部材４ａと、この回動部材４ａから伸びた腕部材４ｂと、この腕部材４ｂの先端に一体に形成された打当部材４ｃからなる衝撃部材４が装着され、この衝撃部材４の打当部材４ｃが当たるフォーク５に圧電セラミックス６が装着され、この圧電セラミックス６で発生した起電力は蓄電器７で蓄電され、蓄電器７から自転車１のハンドル８の部分に装着されたライト９に供給される。発振出力が印加され、又、洗浄槽の上部に洗浄液供給装置７が装着されている。
【０００８】
このように構成された本実施例では、自転車１に乗ってベダル１０を踏んで車輪２を回転すると、車輪２のスポーク３に装着された衝撃部材４が遠心力で外側に突出するので、衝撃部材４の打当部材４ｃがフォーク５に装着した圧電セラミックス６に当たるが、衝撃部材４は回動部材４ｃで回動可能に装着されているので、打当部材４ｃが圧電セラミックス６に当たると、車輪２側に回動され、フォーク５に殆ど接触しないで通過するため、衝撃部材４は殆ど負荷にならず、又、衝撃部材４はフォーク５に接触しないので、摩耗により殆ど損傷することがないという利点がある。
【０００９】
なお、衝撃部材４はスポーク３の上下にずれないように、回動部材４ａの上下にかしめ部材１１により回動可能に固定されている。
【産業上の利用可能性】
【００１０】
上記実施例では、衝撃部材４及び圧電セラミックス６を自転車１の車輪２のフレーム２ａの近傍に装着したが、車輪２の車軸近傍に装着してもよいし、又、衝撃部材４をスポーク２の１本おきに装着した例を示したが、スポーク２の全て又は複数本おきに装着してもよいし、さらに、衝撃部材４と圧電セラミックス６を他の回転装着に装着することができる。
【図面の簡単な説明】
【００１１】
【図１】本発明の実施例の自転車用照明装置を装着した自転車の側面図である。
【図２】図１の自転車用照明装置の概略構成図である。
【符号の説明】
【００１２】
１                自転車
２                車輪
３                スポーク
４                衝撃部材
５                フォーク
６                圧電セラミックス
７                蓄電器
８                ハンドル
９                ライト
１０              ペダル
１１              かしめ部材
【図１】
2006015784.tif 000003
【図２】
2006015784.tif 000004
(57)【要約】      （修正有）【課題】ダレなどのない正確な雄ねじ部材を成形することができ、もって、作業性の向上に寄与する、雄ねじ成型用金型装置を提供する。【解決手段】割型によって形成される雄ねじ部材であって、前記割型の片側の割型にねじ部の最終部を含む溝部を９０度以上形成すると共に、その９０度を超した部分における溝部の底部は、割型の合わせ面と前記溝部により形成された突部の端部から中心線に対して平行に引いた仮想線を越えない深さとした雄ねじ成形用金型装置。【選択図】図１
2006015556.tif 000002
【特許請求の範囲】
【請求項１】
割型によって形成される雄ねじ部材であって、前記割型の片側の割型にねじ部の最終部を含む溝部を９０度以上形成すると共に、その９０度を超した部分における溝部の底部は、割型の合わせ面と前記溝部により形成された突部の端部から中心線に対して平行に引いた仮想線を越えない深さとしたことを特徴とする雄ねじ成形用金型装置。
【発明の詳細な説明】
【技術分野】
【０００１】
本発明は、割型によって形成される雄ねじ部材に関する。
【背景技術】
【０００２】
雄ねじ部材は、通常、割型構造を有する金型装置によって成形されたり、或いは、内面に螺子が形成された筒状の孔に樹脂を充填したりして成形している。前者の手段は、成形された雄ねじ部材の中心部分にパーティングラインと称される微小な樹脂突起が形成されるが、量産性においては優れている。即ち、割型の開閉によって大量の雄ねじ部材を成形することができる。
また、後者の手段にあっては、雄ねじ部材の表面が綺麗に成形されるが、量産性の観点で問題がある。即ち、成形後にはその成形された雄ねじ部材を、１個ごと回転させながら離型しなければればならず時間を要しており、実質的ではなく、前者の手段が多く採用されている。
【非特許文献１】プラスチック射出成形用金型設計基準  １９６５  日本金型工業界  昭和４０年９月３０日発行  （第２１頁；ペン軸１６コ取り金型）。
【発明の開示】
【発明が解決しようとする課題】
【０００３】
前記刊行物１に記載されている雄ねじの最終部は割型の合わせ面であるパーティングライン上に位置している。そして、その雄ねじを成形するキャビティーの内面には、雄ねじのねじ山を形成する溝部とその隣り合う溝部によって突部が形成されているが、前記溝部は割型の合わせ面近傍まで形成されている。即ち、キャビティーに形成されている溝部の最終部近傍は、割型（キャビティー）の合わせ面から見てアンダーカットの状態になっている。
この様な、アンダーカットを有する割型で雄ねじを成形すると、離型の際、雄ねじは樹脂の弾性変形力によってキャビティーから抜け出るが、その際、無理に抜け出る為、ねじ山が変形しダレた状態となってしまったり、強いては、削られてしまう危険性があった。そして、そのダレた雄ねじ部材を雌ねじ部材に螺合させてしまうと、引っ掛かりが生じてしまいスムーズには螺合せず作業性が悪いものとなってしまっていた。
【課題を解決するための手段】
【０００４】
本発明は、割型によって形成される雄ねじ部材であって、前記割型の片側の割型にねじ部の最終部を含む溝部を９０度以上形成すると共に、その９０度を超した部分における溝部の底部は、割型の合わせ面と前記溝部により形成された突部の端部から中心線に対して平行に引いた仮想線を越えない深さとしたことを要旨とする。
【発明の効果】
【０００５】
本発明は、割型によって形成される雄ねじ部材であって、前記割型の片側の割型にねじ部の最終部を含む溝部を９０度以上形成すると共に、その９０度を超した部分における溝部の底部は、割型の合わせ面と前記溝部により形成された突部の端部から中心線に対して平行に引いた仮想線を越えない深さとしたことを要旨としているので、ダレなどのない正確な雄ねじ部材を成形することができ、もって、作業性の向上を図ることができる。
【発明を実施するための最良の形態】
【０００６】
金型内部に配置される割型は、２個の割型ブロックから構成されている。その各々の割型ブロックには、樹脂が流入し雄ねじ部材が成形されるキャビティーブロック１、２が固定されている。そのキャビティーブロック１、２は、前記割型の離隔・接近によって開閉が自在なものとなっている。
そのキャビティーブロック１の内面には、ねじ部が形成される螺旋溝３、４と、その隣り合う螺旋溝３、４によって構成される螺旋状の突部５、６、並びに頭部が形成される大径部７、８と、不完全螺子部が形成される小径部９、１０が形成されている。
前記片側の割型に固定されているキャビティー２には、ねじ部の最終部４ａを含む螺旋溝４が約１３５度に渡って形成されている。そして、その螺旋溝４の９０度を超した部分における螺旋溝４の最終部近傍の底部４ｂは、他のキャビティー１の合わせ面１２と前記螺旋溝４により形成された突部６の端部１３から中心線１４に対して平行に引いた仮想線１５を越えない深さとしている。即ち、キャビティー２に形成されている螺旋溝４の最終部近傍の底部４ａは、キャビティー２の合わせ面１２の方向から見てアンダーカットの状態にならないようになっている。
【０００７】
次ぎに、前記キャビティー１、２への螺旋溝４の形成方法について説明する。マスターと称される通電が可能な治具を作成し、放電加工によって前記螺旋溝４を形成する方法が好適である。キャビティーの合わせ面から放電加工することになり、従来技術で示したアンダーカットの形成は皆無となり、また、大きさや加工する位置も特に限定されない。しかし、旋盤によって形成する方法もあるが、螺旋溝４の最終端部近傍では、切削するバイトを中心から離隔する方向へ移動させなければならず、例えば、プログラムすることによって作動させる旋盤にあっては、そのプログラミングに時間が費やされるが、前記放電加工に比し、加工面が綺麗であり、それ故に、成形される雄ねじ部材の表面も綺麗な物となる。また、２個のキャビティーを合わせた状態で切削加工することができる為、各々の螺旋溝のつながり正確にすることができ、成形した際に発生するパーティングライン上での段差を極力防止することができる。
【０００８】
次ぎに、作用について説明する。キャビティー１、２が閉鎖し、そのキャビティー内に樹脂が流入すると、雄ねじ部材が成形される。冷却・固化後、キャビティーを拡開すると成形された雄ねじ部材がキャビティーから離型するが、この時、螺旋溝４からねじ山が引っ掛かることなくスムーズに抜け出る。螺旋溝４が抜け出る方向に拡開している為である。即ち、アンダーカットになっていない為である。
【図面の簡単な説明】
【０００９】
【図１】本発明のキャビティーを示す外観斜視図。
【図２】図１の上面図。
【図３】図２の正面図。
【符号の説明】
【００１０】
１    キャビティー
２    キャビティー
３    螺旋溝
４    螺旋溝
５    突部
６    突部
７    合わせ面
８    合わせ面
９    端部
１０  中心線
１１  仮想線
【図１】
2006015556.tif 000003
【図２】
2006015556.tif 000004
【図３】
2006015556.tif 000005
(57)【要約】【課題】車両のエンジンノイズを除去するケーブルを提供する。【解決手段】車両のエンジンブロック金属部より、高周波ノイズ除去コアを装備した低抵抗リード線を使用し、バッテリーのマイナス端子に接続することにより、エンジンから発生する高周波ノイズ成分を除去し、ラジオまたは、送受信無線設備の感度および通話エリアの向上ができる。【選択図】    図１
2006015973.tif 000002
【特許請求の範囲】
【請求項１】
低抵抗銅線に、複数の磁性体コアを備え、エンジンブロックとバッテリーマイナス端子に接続する事で、エンジンから発生する高周波ノイズを除去する事を特徴とするノイズ除去ケーブル。
【請求項２】
上記ノイズ除去ケーブルは、電気抵抗の限り無く低い無酸素銅素材を使用し、高周波ノイズ除去特性に優れた筒状磁性形成品コアを複数組み合わせた物である請求項１に記載のエンジンノイズ除去ケーブル。
【発明の詳細な説明】
【技術分野】
【０００１】本発明は、車両エンジンより発生する高周波ノイズの除去およびその方法に関する。
【背景技術】
【０００２】従来、自動車のエンジンから発生する高周波ノイズ対策として、ラジオ叉は、受信機等の電源部分に有効とされるコイルならびにコンデンサなどで構成されるノイズ対策およびアースを車体に接続した車両が知られる（例えば、特開平−２６８１７６号公報）。
【発明の開示】
【発明が解決しようとする課題】
【０００３】そこで本発明は、前途の課題を解決する為に、ノイズ除去効果の優れた複数の磁性体フィルターを装着した低抵抗リード線をエンジンとバッテリーマイナス端子  に簡単に接続する事で、ラジオ叉は、送受信機の弱電界地域において、受信感度向上および音質の安定を図る事ができるようにノイズ除去ケーブルの製法を提供することにある。
【課題を解決するための手段】
【０００４】課題を解決する為に、本発明は自動車のエンジンブロック金属部より、ノイズ除去磁性体コアを装備した低抵抗リード線でバッテリーマイナス端子に接続する事で、エンジンから発生する高周波ノイズ成分を除去し、ラジオまたは送受信機の感度向上ができる。
【発明の効果】
【０００５】以上の通り、本発明によると、弱電界におけるノイズ低滅の作用により、ラジオならびに送受信設備の受信感度の向上および、アース効果により、オルタネーターの電流増大が期待され、送信出力の安定にも繋がる。
【発明を実施するための最良の形態】
【０００６】以下、本発明について、図１を参照して順に説明する。
１  ａ  ｅ  に使用する丸端子はエンジンブロック金属部に、接続した場合接触抵抗を極力押さえる為には接地面積拡大を考え内径８ミリとし、表面に２４金メッキを施す。
２  ｂ  ｄ  に使用する筒状磁性形成コアについては、吸収周波数特性が、５００ＫＨｚ以上のフェライト磁性体を使用する。
３  ｃ  低抵抗リード線においては、エンジンより放出されるノイズ成分が、車体に回り込む要素を防止する為に、素材を無酸素銅ワイヤー０．１２ミリを１００本ずつ束ね、６束作りツイスト状に編むことにより、直流抵抗が限り無くゼロに近いケーブルが作れ  エンジンルーム内の高温にも影響されないように、耐熱被服を施したものである。
４  上記内容のケーブルをエンジンブロック金属部と、バッテリーマイナス端子に接続する。
【図面の簡単な説明】
【０００７】
【図１】本発明の構成略図である。
【符号の説明】
【０００８】ａ  丸端子
ｂ  コア
ｃ  リード線
ｄ  コア
ｅ  丸端子
【図１】
2006015973.tif 000003
(57)【要約】【課題】  従来の一般的なヘリコプターは空中で前進や後進や横進する為に回転翼を半周する毎に迎角を変える複雑な構造で動力伝達していた。【解決手段】  二つの原動機（１０）の上にそれぞれ回転翼（１）を設け、双方の回転翼軸（２）の間に動力連絡棒（５）を取り付け、又、双方の回転翼（１）が接触させず交差するように先端を上向きでＶ字形になるよう設ける。機体の床板（１６）は人が乗っても丈夫なネット状で湾曲形に成型されたものを設ける。又、機体の各所に安全の為の手摺を設ける。【選択図】    図２
2006015971.tif 000002
【特許請求の範囲】
【請求項１】
床板（１６）がネット状で湾曲形に成型されたスポーツヘリコプター。
【請求項２】
フレーム（３）の上部に天井手摺（１３）を設けた請求項１のスポーツヘリコプター。
【発明の詳細な説明】
【技術分野】
【０００１】  この発明はシンプルな構造で主として一人乗りのヘリコプターに関するものである。
【背景技術】
【０００２】  従来の実用的なヘリコプターは飛行して前進や後進や横進させるために回転翼が半周する毎に迎角を変えさせていた。
【発明が解決しようとする課題】
【０００３】  そのために、次のような欠点があった。
（イ）機体を浮上し前進させる為の動力伝達装置は複雑で原動機に大きなエネルギーロスが生じ、燃費も振動も騒音も大きい。
（ロ）動力伝達装置は構造上、重量物を吊り上げ能力が劣る。
（ハ）コストが高く高度なメンテナンスも必要。
本発明はこれらの欠点を解消し、ヘリコプターの使用範囲を広げたもの。
【課題を解決するための手段】
【０００４】  二つの原動機（１０）の上にそれぞれ回転翼（１）を設け、双方の回転翼軸（２）の間に動力連絡棒（５）を設け、回転翼（１）の先端を上向きでＶ字形になるよう設ける。機体の底部に  ネット状で湾曲形に成型された床板（１６）と、機体上部に天井手摺（８）を設ける。
本発明は、以上の構成からなるスポーツヘリコプターである。
【発明を実施するための最良の形態】
【０００５】  以下、本発明の実施の形態について説明する。
機体上部で左右に離れた原動機（１０）の上にそれぞれ回転翼（１）を設け、双方の回転翼軸（２）の間には先端に傘ギヤ−（４）付きの動力連絡棒（５）を設け、その両方の先端の傘ギヤ−（４）と双方の回転翼軸（２）に設けた傘ギヤ−（７）とで同数回転で逆回転するよう設ける。又、二つの離れた回転翼（１）が互いに交差する時、接触しないよう回転翼（１）の先端を上向きでＶ字形になるよう設ける。
回転翼（１）や原動機（１０）燃料タンク（１３）尾翼方向舵（２０）等を支持するフレーム（３）を設け、機体重心部の底部に人が歩いて前後左右できるスペースの床板（１６）を設ける。
床板（１６）は湾曲形にし、機体傾斜時に歩き易くする。ネット状は回転翼（１）から発生する空気の流れをよくするため多数の穴があいている。又、機体前部の床板（１６）に腰掛台（１５）設ける。
本発明は以上のような構造で使用する時は機体重心部の床板（１６）に前向きに立ち、天井手摺（８）を握り、回転翼を上部アクセルレバー（６）で一定の回転数で回し、その後、調子等を見て、一気に定められた上昇回転数に上部アクセルレバー（６）で加速して上昇させる。一定の高度になると天井手摺（８）から縦棒手摺（１２）を伝って腰掛台（１５）に座り前進して水平飛行になるよう下部アクセルレバー（１４）で調整する。前方から突風が来た時は一時的に両手を縦棒手摺（１２）を握ったまま腕を伸ばし、体重を機体の重心位置方向に近ずける。横風の場合は、体重を左右に傾けて調整する。進行方向を変える場合は電動モーター（１９）で垂直方向舵（２０）を働かせる。又は操縦者の上半身を進路方向に体を傾ける。目的地の上空付近に近ずくと回転翼（１）を定められた回転数に下部アクセルレバー（１４）で減速させ、腰掛台（１５）から立上り天井手摺（８）を活用して機体重心位置に戻り、目的地が後方下の場合、操縦者が後向きになり機体重心位置より、機体後方へ体重移動して回転翼（１）を上部アクセルレバー（６）で序々に減速させ、着地寸前で上部アクセルレバー（６）を一気に定められた回転数にスローダウンする。
【発明の効果】
【０００６】  動力伝達装置の構造がシンプルなので燃費が少なく故障もすくない。コストが安くメンテナンスも簡単。片側の原動機が故障でも一方向ギア−（９）が働き片方の原動機が支障なく働くので安全。騒音が少ない。
【図面の簡単な説明】
【０００７】
【図１】  本発明の正面断面図
【図２】  本発明の側面図
【図３】  本発明の斜視図
【符号の説明】
【０００８】    １  回転翼
２  回転翼軸
３  フレーム
４  連絡棒の先に取り付けた傘ギヤ−
５  連絡棒
６  天井手摺辺りに取り付けたアクセルレバー
７  回転翼軸に取り付けた傘ギアー
８  天井手摺
９  一方向ギア−
１０  原動機
１１  手摺
１２  縦棒手摺
１３  燃料タンク内
１４  手摺に取り付けたアクセルレバー
１５  腰掛台
１６  ネット状で湾曲形に成型した床板
１７  車輪
１８  バッテリー
１９  電動モーター
２０  垂直方向舵
２１  そり
【図１】
2006015971.tif 000003
【図２】
2006015971.tif 000004
【図３】
2006015971.tif 000005
(57)【要約】【課題】二輪車等の駐輪用固定スタンドを操作する際に、履物の損傷や足のガを防止する為の、安全カバー付き二輪車等駐輪用固定スタンドを提供するものである。【解決手段】二輪車等駐輪用固定スタンド  １  に、安全カバー  ２  を装着することによって、履物の損傷や足のケガを防止するものである。【選択図】    図３
2006015970.tif 000002
【特許請求の範囲】
【請求項１】
自転車及び、オートバイ等、二輪車の駐輪用固定スタンドに、弾力材等を施した安全カバーを、装着することによって、駐輪用固定スタンド操作時に足のケガや、靴等の損傷を防止することを特徴とする、安全カバー付き二輪車等駐輪用固定スタンド。
【発明の詳細な説明】
【技術分野】
【０００１】この発明は、日常、自転車及びオートバイ等、二輪車の駐輪用固定スタンドを操作する際に、例えば革靴及び、サンダル等の履物に傷が着かなく又、足のケガを防止する為の、安全カバー付き二輪車等駐輪用固定スタンドに関するものである。
【背景技術】
【０００２】従来の、自転車及びオートバイ等、二輪車の駐輪用固定スタンドの材質は、殆ど金属性等硬質なものが多く、そのまま直接靴や素足に触れ、極めて危険性が高かった。
【発明の開示】
【発明が解決しようとする課題】
【０００３】自転車及びオートバイ等二輪車の乗降時等に、駐輪用固定スタンドを、足で解除したり、セットする操作をする際に、例えば革靴等に傷が着いたり、靴クリーム等がはがれたり又、サンダル履きの場合、足にケガをすることが多々あった。
【課題を解決する為の手段】
【０００４】本発明は、それらの問題を防止する為に発案されたもので、それを図面について説明すれば、二輪車等駐輪用固定スタンド１に、安全カバー２を装着することにより、駐輪用固定スタンド操作時の問題や、不安を解決するものである。
【発明の効果】
【０００５】したがって、この安全カバーを装着することによって、自転車及び、オートバイ等二輪車の乗降時に、履物等を傷つけたり、足をケガしたりすることを防止することができる。
要するに、従来の危険な、自転車及びオートバイ等、二輪車等駐輪用固定スタンドから安心感と安全性を備えた、創造的な安全カバー付き二輪車等駐輪用固定スタンドである。
【発明を実施する為の最良の形態】
【０００６】本発明は、日常生活に於いて、自転車及びオートバイ等、二輪車を利用する際に、駐輪用固定スタンドに安全カバーを装着していれば、繰返し行う発着操作時にも、履物等の損傷及び、足のケガ等の不安を解消できるものである。
【実施例】
【０００７】なお、実施にあたっては、次の様なことが考えられる。
（イ）安全カバーは、左右きき足も考えられるので、駐輪用固定スタンドの両側に装着しても良く、又、足の力はかなり強いので、丈夫で弾力性に富んだ材質が好ましい。
（ロ）又、安全カバーに蛍光材等を施すことによって、夜間の交通安全にも役立つことも考えられる。
【産業上の利用可能性】
【０００８】現在、全国の自転車及び、オートバイ等の二輪車は、ほぼ全家庭に普及し、数多くの人々が利用されていると思われ、その中でも上記（０００３）の様な問題や悩もをお持ちの方が、数多くおられると考えられますので、商品化した際にそれらの人々に役立ち又、普及することによって社会や産業への貢献が期待できるものである。
【図面の簡単な説明】
【０００９】
【図１】二輪車等駐輪用固定スタンド安全カバーの斜視図である。
【図２】二輪車等駐輪用固定スタンド安全カバーの装着断面図である。
【図３】二輪車等駐輪用固定スタンド安全カバーの装着図である。
【符号の説明】
【００１０】１  二輪車等駐輪用固定スタンド。
２  二輪車等駐輪用固定スタンド安全カバー。
【図１】
2006015970.tif 000003
【図２】
2006015970.tif 000004
【図３】
2006015970.tif 000005
(57)【要約】【課題】高段差を有するウエハに高粘度厚膜有機樹脂を塗布する工程において、気泡を排除し均一な有機膜を形成し、異常ドライエッチングを抑制することが可能な塗布機および塗布方法を提供する事を目的とする。【解決手段】容器内を減圧するための真空ポンプと被塗布材を加熱する機構と一体の回転ステージを備えた塗布機により、被塗布材を加熱した後に、回転塗布し、塗布中に、容器内を減圧することを特徴とするため、高段差部での気泡の混入を完全に防止し、後工程での異常ドライエッチングを抑制することが可能である。また、塗布後のベーク工程でのウエハからの脱ガスによる新たな膜中への気泡を防止することが可能である。【選択図】図１
2006015288.tif 000002
【特許請求の範囲】
【請求項１】
密閉容器と容器内を減圧するための真空ポンプと被塗布材を加熱する機構と一体の回転ステージを備えたことを特徴とする塗布機。  
【請求項２】
被塗布材を加熱した後に、回転塗布し、塗布中に、容器内を減圧することを特徴とする請求項１に記載の塗布機を用いた塗布方法。
【発明の詳細な説明】
【技術分野】
【０００１】
本発明は、半導体素子の製造装置に関するもので、さらに詳しくは高段差を有するウエハに高粘度厚膜有機樹脂を塗布する工程において、有機膜中、及び段差部での気泡を完全に排除し均一な有機膜を形成する塗布機および塗布方法に関するものである。
【背景技術】
【０００２】
従来の半導体素子の製造工程におけるレジスト、ポリイミド、ビスベンゾシクロブテンなどの有機系樹脂の塗布工程では、半導体ウエハ上に、塗布した後に、所望の厚さになるように半導体ウエハを適当な回転数にて回転させる。次に、ウエハをベーク処理することにより、塗布材を硬化させ、半導体ウエハ表面に有機系樹脂膜を形成する。また、スリット、溝、オーバーハング形状に液体を充填することを目的として、減圧下にて塗布し、その後大気圧に戻すことで、段差部の気泡との気圧差により段差部に充填する方法が提供されている（特許文献１参照）。
【特許文献１】特開昭６３−１２４５２４号公報
【発明の開示】
【発明が解決しようとする課題】
【０００３】
しかしながら、上記のように、減圧下にて、塗布し、塗布後に大気圧に戻し、段差部を充填しても、気圧差にて充填するため、例えば、図２（ａ）に示すように、深さ１４０μｍ程度のビアホール９上に厚さ５μｍのメッキ配線１０が形成され、５００〜７００ｎｍ程度の絶縁膜の保護膜１１に覆われたウエハでの段差部に、図２（ｂ）に示すように粘度が３００〜２７００ｃＰ程度の高粘度厚膜有機膜１２を塗布した場合、段差部、およびビアホール内において、気泡１３が生じる。次に、大気圧に戻した時に、図２（ｃ）に示すように段差部での気泡１３との気圧差により塗布材に凹み１４が生じてしまう。そのため、図２（ｄ）に示すように、その後のドライエッチングにより気圧差で生じた塗布材の凹み部１４において保護膜１１の異常ドライエッチング１５が生じてしまう。また、塗布後のベーク工程において、ウエハからの脱ガスにより新たに気泡が発生し、膜中に気泡が残ってしまう。または、弾けて有機膜上にクレーター状に残ってしまう。
【０００４】
本発明は、高段差を有する半導体ウエハに高粘度厚膜有機樹脂を塗布する工程において、有機膜中、及び段差部での気泡を完全に排除し均一な有機膜を形成する塗布機および塗布方法を提供することを目的とする。
【課題を解決するための手段】
【０００５】
本発明の塗布機は、容器内を減圧するための真空ポンプと被塗布材を加熱する機構と一体の回転ステージを備えたことを特徴とする。
【０００６】
本発明の塗布方法では、被塗布材を加熱した後に、回転塗布し、塗布中に、容器内を減圧することを特徴とするため、高段差部での気泡の混入を完全に防止し、後工程での異常ドライエッチングを抑制することが可能である。また、塗布前にウエハを加熱する事で、塗布後のベーク工程でのウエハからの脱ガスによる新たな膜中への気泡の混入を防止することが可能である。
【発明の効果】
【０００７】
以上のように、本発明の塗布機および塗布方法は、高段差を有するウエハに高粘度厚膜有機樹脂を塗布する工程において、被塗布材を加熱した後に、回転塗布し、塗布中に、容器内を減圧することにより、高段差部での気泡の混入を完全に防止し、後工程での異常ドライエッチングを抑制することが可能である。
【発明を実施するための最良の形態】
【０００８】
次に、本発明の実施の形態における塗布機について図面を参照しながら説明する。
【０００９】
図１に示すように、本発明の実施形態である塗布機は、密閉容器１に、塗布材を吐出するノズル２があり、ノズルの下には、加熱機構付きチャック３と一体の回転機構４を備えたウエハステージ５が位置している。密閉容器１は、真空ポンプ６により減圧が可能であり、バルブ７の操作により真空度の制御が可能である。
【００１０】
以下、工程順序に従って説明する。
【００１１】
まず、密閉容器１内にウエハ８を加熱機構付きチャック３上に固定する。次に、加熱機構により、８０℃から１００℃にてウエハ表面の付着ガスが排除されるまで加熱する。次に、ノズル２により塗布材をウエハ８上に吐出し、段差部が完全に満たされる膜厚までウエハステージ５を回転させる。次に、回転した状態において、バルブ７を開け、密閉容器１内を〜０．５Ｐａ程度まで減圧状態にする。この時に、段差部で生じていた気泡が除去される。次に、バルブ７を閉じ、減圧状態を維持したまま所望の膜厚になるまで回転塗布する。この時、バルブ７を開けた状態で回転塗布した場合、塗布材中の気泡の除去も行える。なお、加熱機構は、急峻な加熱が可能なランプヒーター機構でもよい。チャックが真空チャックの場合、密閉容器内の減圧状態より高い真空度である必要がある。もしくは、真空チャック以外の静電チャックを用いてもよい。さらに、ウエハを全面に近い状態でチャックできるような構造にしてもよい。このように、塗布前にウエハを加熱し、塗布中に減圧状態にすることで、段差部での気泡を完全になくことが可能である。また、塗布前にウエハを加熱する事で塗布後のベーク工程でのウエハからの脱ガスによる新たな膜中への気泡の混入を防止することが可能である。
【産業上の利用可能性】
【００１２】
本発明にかかる塗布機および塗布方法は、高段差部での気泡の混入を完全に防止し、後工程での異常ドライエッチングを抑制することが可能であり、高段差を有するウエハに高粘度厚膜有機樹脂を塗布する工程に用いられる半導体装置の製造方法の用途に有用である。
【図面の簡単な説明】
【００１３】
【図１】本発明の実施形態における塗布機を示す図
【図２】従来の技術を説明するための構成図
【符号の説明】
【００１４】
１  密閉容器
２  ノズル
３  加熱機構付きチャック
４  回転機構
５  ウエハステージ
６  真空ポンプ
７  バルブ
８  ウエハ
９  ビアホール
１０  メッキ配線
１１  保護膜
１２  高粘度厚膜有機膜
１３  気泡
１４  凹み
１５  異常ドライエッチング
【図１】
2006015288.tif 000003
【図２】
2006015288.tif 000004
(57)【要約】【課題】  従来の水の磁気処理法は、磁場に接触する多分子構造の水を、磁石を色々に用い刺激し処理するのみであった。【解決手段】  水１個の分子は、酸素原子１個を基点として、１０４．５度の角度で水素原子２個と水素結合している。常にこの角度を維持している訳ではないが、一定の確率でこの角度を維持するものと考えられている。パイプ内を通過する多分子の水に、１０４．５度の角度で磁場を通過するように磁石を配置する事により、水分子はその磁場の影響を受け、単分子化を促進するものである。【選択図】図１
2006015315.tif 000002
【特許請求の範囲】
【請求項１】
水の通る変形透磁性パイプの外周に接して、３個の磁石を二等辺三角形状に配置する。そのパイプ内側の磁極は、頂角部分をＳ極とし、１０４．５度に二つの低角部分Ｎ極を配置し、頂角のＳ極と吸引する。パイプ内の水の通路に、１０４．５度の磁場部分を形成し、その磁場で通過水を処理する。磁石の極性は３個夫々一体とし、逆配置も可とする。水分子磁気処理法。
【発明の詳細な説明】
【技術分野】
【０００１】  本発明は、一般の磁気活水器の水処理能力を向上させる技術に関する。
【背景技術】
【０００２】  従来の水の磁気処理法は、磁石をパイプの内や外に配置し、吸引磁場、反発磁場、交番磁場、３０度６０度９０度１２０度の偏向角度等、いずれかの数量的組み合わせで、水分子に磁場を与え、処理する方法であり、水のクラスターの多分子構造に刺激を与える磁気処理法である。
【発明の開示】
【発明が解決しようとする課題】
【０００３】  従来の水の磁気処理法では、水の多分子構造のまま処理するのみであった。
【課題を解決するための手段】
【０００４】  水１個の分子は、酸素原子１個を基点として、１０４．５度の角度で水素原子２個と結合している。常にこの角度を維持している訳ではないが、一定の確率でこの角度を維持するものと考えられている。磁力線をその角度になるように磁石を配置すれば、水分子はその磁力線の刺激を受け、単分子化を促進すると考えられる。
【発明の効果】
【０００５】  水の多分子クラスターの単分子化促進により、水処理効果は向上する。
【発明を実施するための最良の形態】
【０００６】  磁石の配置は、頂角では吸引部分、低角同士は反発部分も存在し、磁力線は直線ではなくなる。しかし、水分子の水素結合の角度は変動しているので、磁場を通過する多くの水分子の、一部分に影響する１０４．５度の磁力線角度は、有効な単分子刺激法である。
【実施例】
【０００７】  水道水の通る塩ビパイプに設置し、活用している。従来の磁気処理法に比較して、水がより軟らかく感じられる。甘さも感じられる。
【図面の簡単な説明】
【０００８】
【図１】  本発明の断面図
【符号の説明】
【０００９】  １は磁石１
２は磁石２
３は磁石３
４は透磁性変形パイプ
【図１】
2006015315.tif 000003